(57)【特許請求の範囲】
【請求項１】
ＳＰＥＣＴ画像の画素値を単位容量あたりの放射能量（Ｂｑ／ｍＬ）の単位に変換するための変換係数であるベクレルキャリブレーションファクターを、ＳＰＥＣＴ装置に関する情報（ＳＰＥＣＴ装置の機種名及び搭載されたコリメータ種）にタグ付された形で格納したデータベースと、ＳＰＥＣＴ画像を取得する機能を有する画像取得部と、
前記ＳＰＥＣＴ画像の撮像に用いたＳＰＥＣＴ装置の機種名及び搭載されたコリメータ種に対応したベクレルキャリブレーションファクターを前記データベースから読み出す機能を有する変換係数取得部と、
前記ベクレルキャリブレーションファクターを用い、前記ＳＰＥＣＴ画像の各画素における画素値を単位容量あたりの放射能量（Ｂｑ／ｍＬ）の単位に変換する機能を有する第１の画素値変換処理部と、
を備える、画像処理装置。
【請求項２】
単位容量あたりの放射能量（Ｂｑ／ｍＬ）の単位に変換された各画素の画素値を、体重あたりの放射性医薬品の取り込み量を表すＳＵＶ（Ｓｔａｎｄａｒｄｉｚｅｄ  ｕｐｔａｋｅ  ｖａｌｕｅ）に変換する機能を有する第２の画素値変換処理部をさらに備える、請求項１に記載の画像処理装置。
【請求項３】
ＳＰＥＣＴ画像データと、ＳＰＥＣＴ画像の画素値を単位容量あたりの放射能量（Ｂｑ／ｍＬ）の単位に変換するための変換係数であるベクレルキャリブレーションファクターであって、所定の記憶装置内に構築されたデータベース内に格納されたベクレルキャリブレーションファクターを利用可能であり、コンピュータを画像処理装置として動作させるためのコンピュータプログラムであって、
当該コンピュータに、
ＳＰＥＣＴ画像を取得する画像取得ステップと、
前記ＳＰＥＣＴ画像の撮像に用いたＳＰＥＣＴ装置の機種名及び搭載されたコリメータ種に対応したベクレルキャリブレーションファクターを前記所定の記憶装置内に構築された前記データベースから読み出す変換係数取得ステップと、
ここで、当該ベクレルキャリブレーションファクターは、予め前記データベースにＳＰＥＣＴ装置に関する情報（ＳＰＥＣＴ装置の機種名及び搭載されたコリメータ種）にタグ付されて格納されたものであり、
読み出した前記ベクレルキャリブレーションファクターを用いて前記ＳＰＥＣＴ画像の各画素における画素値を単位容量あたりの放射能量（Ｂｑ／ｍＬ）の単位に変換する第１の画素値変換ステップと、
を実行させる、画像処理プログラム。
【請求項４】
コンピュータに、
前記第１の画素値変換ステップ実行後の画像の各画素の画素値を、体重あたりの放射性医薬品の取り込み量を表すＳＵＶ（Ｓｔａｎｄａｒｄｉｚｅｄ  ｕｐｔａｋｅ  ｖａｌｕｅ）に変換する第２の画素値変換ステップをさらに実行させるものである、請求項３に記載の画像処理プログラム。
【請求項５】
コンピュータを用いてＳＰＥＣＴ画像の画像処理を行う方法であって、
コンピュータによって、
ＳＰＥＣＴ画像を取得する画像取得ステップと、
ＳＰＥＣＴ画像の画素値を単位容量あたりの放射能量（Ｂｑ／ｍＬ）の単位に変換するための変換係数であるベクレルキャリブレーションファクターであって、前記ＳＰＥＣＴ画像の撮像に用いたＳＰＥＣＴ装置の機種名及び搭載されたコリメータ種に対応したベクレルキャリブレーションファクターを取得する変換係数取得ステップと、
ここで、前記ベクレルキャリブレーションファクターは、ＳＰＥＣＴ装置に関する情報（ＳＰＥＣＴ装置の機種名及び搭載されたコリメータ種）と関連付けられて予め与えられたものであり、前記ベクレルキャリブレーションファクターを用いて前記ＳＰＥＣＴ画像の各画素における画素値を単位容量あたりの放射能量（Ｂｑ／ｍＬ）の単位に変換する第１の画素値変換ステップと、
を順次実行する、画像処理方法。
【請求項６】
ベクレルキャリブレーションファクターは、所定の記憶装置内に構築されたデータベースに、ＳＰＥＣＴ装置に関する情報（ＳＰＥＣＴ装置の機種名及び搭載されたコリメータ種）にタグ付されて予め格納されたものであり、
前記変換係数取得ステップは、コンピュータによって、前記データベースから、前記ＳＰＥＣＴ画像の撮像に用いたＳＰＥＣＴ装置の機種名及び搭載されたコリメータ種に対応したベクレルキャリブレーションファクターを読み出すものである、請求項５に記載の画像処理方法。
【請求項７】
コンピュータによって、
前記第１の画素値変換ステップ実行後の画像の各画素の画素値を、体重あたりの放射性医薬品の取り込み量を表すＳＵＶ（Ｓｔａｎｄａｒｄｉｚｅｄ  ｕｐｔａｋｅ  ｖａｌｕｅ）に変換する第２の画素値変換ステップをさらに実行する、請求項５又は６に記載の画像処理方法。
【発明の詳細な説明】
【技術分野】
【０００１】  本発明は、ＳＰＥＣＴ画像の画素値を汎用的な単位容量あたりの放射能量の単位に変換する技術に関する。より詳しくは、データベース等に予め格納された変換係数を利用して、ＳＰＥＣＴ画像の画素値を変換する技術に関する。
【背景技術】
【０００２】  核医学画像診断技術の一つであるＳＰＥＣＴは、放射性医薬品を被験者に投与し、当該放射性医薬品から放出されるγ線を専用のカメラで検出し、画像化することにより行われる。ＳＰＥＣＴは、ＰＥＴ同様に生体の機能を画像化できる事から、広く臨床において利用されている。【０００３】  しかし、ＳＰＥＣＴでは、γ線が生体組織による吸収や散乱による影響を受けるため、画像再構成時において、吸収及び散乱補正を行う必要がある。この吸収及び散乱補正は、再構成画像の画質に影響を与える。近年、従来は施設間で統一されていなかったこれらの補正方法を統一し、さらに再構成画像における画素値を単位容量あたりの放射能量をあらわすＢｑ／ｍＬといった共通の単位に変換するＱＳＰＥＣＴプラグラムが開発された（非特許文献１）。このプログラムにより、従来は困難であるとされた多施設での共同研究やデータの直接比較が可能となった他、頭部ＳＰＥＣＴ画像を用いた脳血流量の絶対定量が可能となった。
【先行技術文献】
【０００４】
【非特許文献１】  Ｈｉｄｅｈｉｒｏ  Ｉｉｄａ  ｅｔ  ａｌ．，“Ｍｕｌｔｉｃｅｎｔｅｒ  Ｅｖａｌｕａｔｉｏｎ  ｏｆ  ａ  Ｓｔａｎｄａｒｄｉｚｅｄ  Ｐｒｏｔｏｃｏｌ  ｆｏｒ  Ｒｅｓｔ  ａｎｄ  Ａｃｅｔａｚｏｌａｍｉｄｅ  Ｃｅｒｅｂｒａｌ  Ｂｌｏｏｄ  Ｆｌｏｗ  Ａｓｓｅｓｓｍｅｎｔ  Ｕｓｉｎｇ  ａ  Ｑｕａｎｔｉｔａｔｉｖｅ  ＳＰＥＣＴ  Ｒｅｃｏｎｓｔｒｕｃｔｉｏｎ  Ｐｒｏｇｒａｍ  ａｎｄ  Ｓｐｌｉｔ−Ｄｏｓｅ  １２３Ｉ−Ｉｏｄｏａｍｐｈｅｔａｍｉｎｅ．”，Ｊ．Ｎｕｃｌ．Ｍｅｄ．，（２０１０），ｖｏｌ．５１，Ｎｏ．１０，ｐ．１６２４−１６３１
【発明の開示】
【発明が解決しようとする課題】
【０００５】  ところで、ＳＰＥＣＴ画像の画素値をＢｑ／ｍＬといった統一された単位に変換するためには、単位容量あたりの放射能量とＳＰＥＣＴカウントとの関係を表す変換係数（ベクレルキャリブレーションファクター、以下、ＢＣＦという）を求める必要がある。ＢＣＦは、単位容量あたりの放射能量が既知の試料を用いて得られたＳＰＥＣＴ横断像上でカウント値を計測し、用いた試料における単位容量あたりの放射能量を当該カウント値で除すといった手順で求められる。これまで、ＢＣＦは、ＳＰＥＣＴ検査を行う各施設において検査ごとに求める必要があるとされていた。これは、用いられるＳＰＥＣＴ装置の有する微妙なクセやコンディションがＳＰＥＣＴ画像に影響を与えると考えられていたためである。しかし、ＢＣＦを施設ごとに行うといった従来の方法では、ＢＣＦ測定のために別途試料が必要となる他、ＢＣＦ測定のために一定の時間を要し、不要な被爆の原因となり得るといった問題があった。【０００６】  本発明は上記事情に鑑みてなされたものであり、ＳＰＥＣＴ検査を行う施設ごとにおけるＢＣＦの測定を行わずに、ＳＰＥＣＴ画像の画素値をＢｑ／ｍＬといった統一された単位に変換する方法及び当該方法を実行するための画像処理装置及びコンピュータプログラムを提供するものである。
【課題を解決するための手段】
【０００７】  発明者は数多くの実験結果を用いて詳細な検討を重ねた結果、ＢＣＦの値はＳＰＥＣＴ装置の機種とコリメータの組み合わせが同じであればほぼ等しいといった知見を得た。この知見に基づき、ＳＰＥＣＴ装置の機種とコリメータ種との組み合わせごとのＢＣＦ値をデータベース化し、検査時にはこのデータベースから必要なＢＣＦ値を読み出すことによって、施設ごとに別途ＢＣＦ値を求めることなく、画素値のＢｑ／ｍＬ単位への変換が可能であることを見出し、本発明を完成させた。【０００８】  本発明に係る画像処理装置は、ＳＰＥＣＴ画像の画素値を単位容量あたりの放射能量（Ｂｑ／ｍＬ）の単位に変換するための変換係数であるベクレルキャリブレーションファクターを、ＳＰＥＣＴ装置に関する情報（ＳＰＥＣＴ装置の機種名及びコリメータ種）にタグ付された形で格納したデータベースと、ＳＰＥＣＴ画像を取得する機能を有する画像取得部と、前記ＳＰＥＣＴ画像の撮像に用いたＳＰＥＣＴ装置の機種名及び搭載されたコリメータ種に対応したベクレルキャリブレーションファクターを前記データベースから読み出す機能を有する変換係数取得部と、前記ベクレルキャリブレーションファクターを用い、前記ＳＰＥＣＴ画像の各画素における画素値を単位容量あたりの放射能量（Ｂｑ／ｍＬ）の単位に変換する機能を有する第１の画素値変換処理部と、を備える。【０００９】  本発明に係る画像処理プログラムは、ＳＰＥＣＴ画像データと、ＳＰＥＣＴ画像の画素値を単位容量あたりの放射能量（Ｂｑ／ｍＬ）の単位に変換するための変換係数であるベクレルキャリブレーションファクターであって、所定の記憶装置内に構築されたデータベース内に格納されたベクレルキャリブレーションファクターを利用可能であり、コンピュータを画像処理装置として動作させるためのコンピュータプログラムであって、当該コンピュータに、ＳＰＥＣＴ画像を取得する画像取得ステップと、前記ＳＰＥＣＴ画像の撮像に用いたＳＰＥＣＴ装置の機種名及び搭載されたコリメータ種に対応したベクレルキャリブレーションファクターを前記所定の記憶装置内に構築された前記データベースから読み出す変換係数取得ステップと、ここで、当該ベクレルキャリブレーションファクターは、予め前記データベースにＳＰＥＣＴ装置に関する情報（ＳＰＥＣＴ装置の機種名及びコリメータ種）にタグ付されて格納されたものであり、読み出した前記ベクレルキャリブレーションファクターを用いて前記ＳＰＥＣＴ画像の各画素における画素値を単位容量あたりの放射能量（Ｂｑ／ｍＬ）の単位に変換する第１の画素値変換ステップと、を実行させる機能を有する。【００１０】  本発明に係る画像処理装置及び画像処理プログラムは、予めデータベースに格納されたＢＣＦを読み出して利用する構成としているので、施設ごとに煩雑なＢＣＦ測定を行う必要がないといった利点を有している。【００１１】  本発明に係る画像処理装置は、単位容量あたりの放射能量（Ｂｑ／ｍＬ）の単位に変換された各画素の画素値を、体重あたりの放射性医薬品の取り込み量を表すＳＵＶ（Ｓｔａｎｄａｒｄｉｚｅｄ  ｕｐｔａｋｅ  ｖａｌｕｅ）に変換する機能を有する第２の画素値変換処理部をさらに備えたものであってよ���、同様に、本発明に係る画像処理プログラムは、コンピュータに、前記第１の画素値変換ステップ実行後の画像の各画素の画素値を、体重あたりの放射性医薬品の取り込み量を表すＳＵＶ（Ｓｔａｎｄａｒｄｉｚｅｄ  ｕｐｔａｋｅ  ｖａｌｕｅ）に変換する第２の画素値変換ステップを実行させる機能をさらに有するものであって良い。【００１２】  本発明に係る画像処理方法は、コンピュータを用いてＳＰＥＣＴ画像の画像処理を行う方法であって、コンピュータによって、ＳＰＥＣＴ画像を取得する画像取得ステップと、ＳＰＥＣＴ画像の画素値を単位容量あたりの放射能量（Ｂｑ／ｍＬ）の単位に変換するための変換係数であるベクレルキャリブレーションファクターであって、前記ＳＰＥＣＴ画像の撮像に用いたＳＰＥＣＴ装置の機種名及び搭載されたコリメータ種に対応したベクレルキャリブレーションファクターを取得する変換係数取得ステップと、ここで、前記ベクレルキャリブレーションファクターは、ＳＰＥＣＴ装置に関する情報（ＳＰＥＣＴ装置の機種名及び搭載されたコリメータ種）と関連付けられて予め与えられたものであり、前記ベクレルキャリブレーションファクターを用いて前記ＳＰＥＣＴ画像の各画素における画素値を単位容量あたりの放射能量（Ｂｑ／ｍＬ）の単位に変換する第１の画素値変換ステップと、を順次実行する。【００１３】  本発明に係る画像処理方法において、ベクレルキャリブレーションファクターは、所定の記憶装置内に構築されたデータベースに、ＳＰＥＣＴ装置に関する情報（ＳＰＥＣＴ装置の機種名及び搭載されたコリメータ種）にタグ付されて予め格納されたものであり、前記変換係数取得ステップは、コンピュータによって、前記データベースから、前記ＳＰＥＣＴ画像の撮像に用いたＳＰＥＣＴ装置の機種名及び搭載されたコリメータ種に対応したベクレルキャリブレーションファクターを読み出すといった構成としても良い。【００１４】  また、本発明に係る画像処理方法は、コンピュータによって、前記第１の画素値変換ステップ実行後の画像の各画素の画素値を、体重あたりの放射性医薬品の取り込み量を表すＳＵＶ（Ｓｔａｎｄａｒｄｉｚｅｄ  ｕｐｔａｋｅ  ｖａｌｕｅ）に変換する第２の画素値変換ステップをさらに実行するものであって良い。
【発明の効果】
【００１５】  本発明により、ＳＰＥＣＴ検査を行う施設ごとでのＢＣＦの測定を行わずに、ＳＰＥＣＴ画像の画素値をＢｑ／ｍＬといった統一された単位に変換することが可能となった。
【図面の簡単な説明】
【００１６】
【図１】本発明に係る画像処理装置の、好ましい態様における処理の流れを示すフローチャート。
【図２】本発明に係る画像処理装置の、好ましい態様における機能ブロック図。
【図３】本発明に係る画像処理装置の、好ましい態様におけるシステム構成。
【図４】本発明に係る画像処理装置に搭載されたデータベースに格納された情報の一例。
【図５】本発明に係る画像処理プログラムの、好ましい態様における構成を示す図。
【発明を実施するための形態】
【００１７】  以下、本発明につき、図面を参照して説明する。なお、以下に示す例は、あくまでも好ましい形態について説明するものであり、本発明の内容はこれらの記載により何ら限定されるものではない。
【００１８】  図１は、本発明に係る画像処理装置の好ましい態様における処理の概要を示すフローチャートであり、図２は、本発明に係る画像処理装置の好ましい態様における機能ブロック図である。本発明に係る画像処理装置１０は、画像処理プログラム３００を読み込んだコンピュータによって構成することができ、画像処理装置１０を動作させる事によって、本発明に係る画像処理方法を実現することができる。
好ましい態様において、画像処理装置１０は、撮像情報取得部２０、データ取得部３０、変換係数取得部４０、第１の変換処理部５０、第２の変換処理部６０、データベース７０、及び出力部９０とにより構成される。ここで、データベース７０には、複数のＢＣＦ値が、ＳＰＥＣＴ装置の機種名及び搭載されたコリメータ種にタグ付けされた形で格納されている。そして、好ましい態様において、画像処理装置１０は、ＳＰＥＣＴ装置等の核医学画像撮像装置１００と、電気通信回線を通じて接続される。
図３は、本発明に係る画像処理装置１０の最も好ましい態様におけるシステム構成である。好ましい態様において、画像処理装置１０は、ＣＰＵ２３０と、メモリ２４０と、モニタ等の出力機器２５０と、通信インターフェース２６０と、キーボード等の入力装置２７０と、ハードディスク２２０とが、バス２８０を介して接続されている。画像処理装置１０は、この他にもＣＤ−ＲＯＭドライブやＵＳＢインターフェース等を備えていても良い。通信インターフェース２６０は、核医学画像撮像装置１００と接続するために用いられる。また、メモリ２４０には、本発明に係る画像処理プログラム３００が記憶されている。
【００１９】  画像処理装置１０は、撮像情報取得部２０に撮像情報取得ステップを実行させ、ユーザにＳＰＥＣＴ装置の機種名及び搭載されたコリメータに関する情報、投与した放射性医薬品の総量、被験者の体重といった情報の入力を促し、ユーザが入力装置２７０を介して入力したこれらの情報を取得してメモリに格納する（ステップＳ０１）。取得した各情報は、必要に応じ、画像処理装置１０による以下の処理において用いられる。
なお、実施態様によっては、上記の各情報は、次のＳＰＥＣＴデータ取得ステップ（ステップＳ０２）において取得するＳＰＥＣＴ画像にタグ付された形で、ＳＰＥＣＴ画像と同時に与えられるものであっても良い。この場合は、ステップＳ０１を省略することができる。
【００２０】  次に画像処理装置１０は、データ取得部３０にＳＰＥＣＴデータ取得ステップを実行させ、画像処理を行うＳＰＥＣＴ画像を取得する（ステップＳ０２）。ここで取得されるＳＰＥＣＴ画像は、複数の断層画像により構成される３次元画像である。このＳＰＥＣＴ画像は、広く一般に臨床にて行われている公知の方法にて得ることができる。
好ましい態様において、ＳＰＥＣＴ画像は、ＤＩＣＯＭ形式等の、コンピュータで読み取り可能な形式で保存されたものを、核医学画像撮像装置１００から、ネットワークを通じて直接入力することにより、画像処理装置１０に取り込まれる。なお、当該ＳＰＥＣＴデータは、ハードディスク、ＣＤ−ＲＯＭ、ＤＶＤ等といった、コンピュータで読み取り可能な記憶媒体に格納された状態で取得したものを、コンピュータシステムに備え付けられた読取装置により読み込むといった方法で取り込まれるものであっても良い。
【００２１】  次いで、画像処理装置１０は、変換係数取得部４０に変換係数取得ステップを実行させ、ＳＰＥＣＴ撮像に用いたＳＰＥＣＴ装置の機種名と搭載されたコリメータ種との組み合わせに対応したＢＣＦ値を取得する（ステップＳ０３）。図４は、好ましい態様においてデータベース７０に格納された情報を示す。この図に示すように、各ＢＣＦは、ＳＰＥＣＴ装置の機種、コリメータ種といった情報とタグ付された形で、データベース７０内に格納されている。
好ましい態様において、変換係数取得ステップは、ステップＳ０１にて取得されメモリ上に読み込まれたＳＰＥＣＴ装置の機種名と搭載されたコリメータ種に関する情報を読み出し、データベース７０にアクセスして対応するＢＣＦ値を読み出すといった操作によって行われる。
また好ましい態様において、データベース７０は、画像処理装置１０を構成しているコンピュータに接続されたハードディスク２２０内に構築される。データベース７０は、ＣＤ−ＲＯＭ、ＤＶＤ及びＵＳＢメモリといったコンピュータで読み取り可能な記憶媒体に記憶されたものを用いても良い。この場合、データベース７０を格納した記憶媒体を、ＣＤ−ＲＯＭドライブ、ＤＶＤドライブ、又はＵＳＢインターフェースに挿入し、画像処理プログラム３００がデータベース７０にアクセスできるようにする。
【００２２】  なお、データベース７０に格納されたＢＣＦ値は、種々のコリメータを搭載した複数のＳＰＥＣＴ装置を用いて、公知の方法にて測定される。より具体的には、例えば、以下の手順によって求めることができる。
まず、単位容量あたりの放射能量（Ｂｑ／ｍＬ）既知の放射性医薬品を試料として用意する。ここでの単位容量あたりの放射能量は、ＳＰＥＣＴ撮像においてカウントの数え落としが生じない程度の放射能量とする。このような放射能量既知の放射性医薬品は、例えば、１日〜２日減衰させた放射性医薬品とすることができる。この試料をＳＰＥＣＴ装置の中心に固定してＳＰＥＣＴ撮像を行い、画像再構成を行って横断像を得る。そして、中心スライス全体の画素値の積算値を計測し、その値で試料における単位容量あたりの放射能量を除すことにより、ＢＣＦ値が求められる。ここで、ＢＣＦの測定に用いる横断像のスライス厚と、被験者のＳＰＥＣＴ画像におけるスライス厚とは、等しい価を用いる。
【００２３】  変換係数取得ステップによってＢＣＦ値が取得されたら、画像処理装置１０は、第１の変換処理部に第１の変換処理ステップを実行させ、データ取得ステップにて取得された被験者のＳＰＥＣＴ画像における画素値（元の画素値）を、Ｂｑ／ｍＬといった単位に変換する（ステップＳ０４）。この処理は、変換係数取得ステップにて得られたＢＣＦ値を、ＳＰＥＣＴ画像の各画素における画素値に乗ずるといった方法にて行われる。従って、第１の変換処理ステップは、下記の式１に係る演算を、各画素値について実行することにより、行われる。
【００２４】
【数１】
0005930193.tif 000002
【００２５】  第１の変換処理ステップが完了したら、画像処理装置１０は、第２の変換処理ステップを実行し、画素値を体重あたりの放射性医薬品の取り込み量を表すＳＵＶ（Ｓｔａｎｄａｒｄｉｚｅｄ  ｕｐｔａｋｅ  ｖａｌｕｅ）に変換する（ステップＳ０５）。この処理は、各画素について、下記の式２に係る演算を実行することにより、行われる。
【００２６】
【数２】
0005930193.tif 000003
【００２７】  第２の変換処理ステップが完了したら、画像処理装置１０は、各ＳＵＶを、対応する画素に配し、ディスプレイといった出力機器に出力する（ステップＳ０６）。好ましい態様において、出力は、ＳＵＶの値に応じた輝度や色彩により行われる。なお、実施態様によっては、ある一定の関心領域を設定し、その領域内に含まれる画素のＳＵＶの平均値を算出して、数値によって表示するといった方法を行うことも、もちろん可能である。
【００２８】  なお、画像処理装置１０は、ＳＵＶではなく、Ｂｑ／ｍＬの単位に変換された画素値を出力するといった態様とすることもできる。この場合は、第１の変換処理後の画素値を対応する画素に配し、ディスプレイといった出力機器に表示するといった方法により行うことができる。この場合も、輝度や色彩といった方法により、Ｂｑ／ｍＬに変換された画素値の大きさを表現することができる。
【００２９】  次に、本発明に係る画像処理プログラム３００にについて、説明する。上述した様に、画像処理装置１０は、画像処理プログラム３００を読み込んだコンピュータとして、構成することができる。
画像処理プログラム３００は、ハードディスク、ＣＤ−ＲＯＭ、ＤＶＤといった、コンピュータで読み取り可能な記憶媒体に格納したものを、対応するドライブを介してコンピュータに読み込まれるものであってよい。画像処理プログラム３００は、搬送波に重畳されたコンピュータデータ信号として、ネットワークを通じてコンピュータに読み込まれるものであっても良い。
図５は、本発明に係る画像処理プログラム３００の、好ましい態様における構成を示す。好ましい態様において、画像処理プログラム３００は、処理を統括するメインモジュール３１０と、撮像情報取得モジュール３２０と、データ取得モジュール３３０と、変換係数取得モジュール３４０と、第１の変換処理モジュール３５０と、第２の変換処理モジュール３６０と、出力モジュール３７０と、により構成される。
【００３０】  撮像情報取得モジュール３２０は、ステップＳ０１に係る処理をコンピュータに実行させる。データ取得モジュール３３０は、ステップＳ０２に係る処理を、コンピュータに実行させる。変換係数取得モジュール３４０は、ステップＳ０３に係る処理を、コンピュータに実行させる。第１の変換処理モジュール３５０は、ステップＳ０４に係る処理を、コンピュータに実行させる。第２の変換処理モジュール３６０は、ステップＳ０５に係る処理を、コンピュータに実行させる。出力モジュール３７０は、ステップＳ０６に係る処理を、コンピュータに実行させる。
【００３１】  本発明に係る画像処理装置１０によって、検査ごとにＢＣＦの測定を行うことなく、ＳＰＥＣＴ画像を、撮像に用いた機種や撮像条件に依存しないＢｑ／ｍＬといった単位の画素値に変換することが可能となる。これにより、より簡便にデータの施設間比較や絶対定量を行う事が可能となる。
【産業上の利用可能性】
【００３２】  本発明は、画像処理ソフトウエア及び画像診断機器の分野にて、利用する事ができる。
【符号の説明】
【００３３】１０      画像処理装置
２０      撮像情報取得部
３０      データ取得部
４０      変換係数取得部
５０      第１の変換処理部
６０      第２の変換処理部
７０      データベース
９０      出力部
２２０    ハードディスク
２３０    ＣＰＵ
２４０    メモリ
２５０    モニタ等の出力機器
２６０    通信インターフェース
２７０    キーボード等の入力装置
２８０    バス
３００    画像処理プログラム
３１０    メインモジュール
３２０    撮像情報取得モジュール
３３０    データ取得モジュール
３４０    変換係数取得モジュール
３５０    第１の変換処理モジュール
３６０    第２の変換処理モジュール
３７０    出力モジュール
【図１】
0005930193.tif 000004
【図２】
0005930193.tif 000005
【図３】
0005930193.tif 000006
【図４】
0005930193.tif 000007
【図５】
0005930193.tif 000008